(57)【要約】      （修正有）【課題】電池の数に基づき取付板を任意に連結して、電池セルホルダ中の電池セル取付溝の数を任意に増やし、電池セルを２つの電池セル固定ホルダの間に固定し、任意の組み合わせによりモジュールをカスタマイズして開発応用でき、使用上の柔軟性が高く、ニーズに応じて数を増減できる、電池セル固定ホルダおよびその動力電池パックを提供する。【解決手段】電池セル固定ホルダ１およびその動力電池パックは、少なくとも２つの取付板１０を含み、その上に少なくとも１つの電池セル取付溝１２を設けて電池セルを取り付け、取付板の両側辺には少なくとも１つの取付凹部を設けて２つの取付板１０を並べ合わせて１つの取付溝を成し、取付溝上には固定板２０を設置し、取付板１０に固定留め具３０を貫通させて設置することにより、取付板１０を固定板２０上に固定し、固定板２０を取付溝中に固定することで、２つの取付板１０を連結する。【選択図】図１
0003189898.tif 000002
【実用新案登録請求の範囲】
【請求項１】
両側辺に少なくとも１つの取付凹部を設けた少なくとも２つの取付板であって、前記２つの取付板の前記取付凹部は互いに並べて取付溝を成し、少なくとも１つの電池セル取付溝を設けた取付板と、
前記取付溝上に設置される少なくとも１つの固定板と、
前記取付板上に設置され、前記取付板を貫通し、前記固定板上に固定されることにより前記固定板を前記取付溝に固定し、前記２つの取付板を連結する、少なくとも１つの固定留め具と、
を含む、電池セル固定ホルダ。
【請求項２】
前記固定板上に少なくとも１つの第一固定係合溝を設け、前記固定留め具上には第一係合爪部を設け、前記取付板には少なくとも１つの固定凸溝部を設け、前記２つの取付板の前記固定凸溝部を互いに並べ合わせて凸溝貫通孔を成し、前記第一固定係合溝を前記凸溝貫通孔に貫通させ、前記固定留め具を前記凸溝貫通孔上に設置し、前記第一係合爪部を前記凸溝貫通孔に貫通させるとともに前記固定板の前記第一固定係合溝中に係合させる、請求項１に記載の電池セル固定ホルダ。
【請求項３】
前記第一固定係合溝の両側には第二固定係合溝をそれぞれ設け、前記固定留め具の両側には２つの第二係合爪部を設けて前記凸溝貫通孔を貫通させて前記第二固定係合溝内に係合する、請求項１に記載の電池セル固定ホルダ。
【請求項４】
前記取付板、前記固定板および前記固定留め具の材質は難燃性プラスチック材料である、請求項１に記載の電池セル固定ホルダ。
【請求項５】
前記取付板、前記固定板および前記固定留め具の材質はＡＢＳ樹脂である、請求項１に記載の電池セル固定ホルダ。
【請求項６】
前記固定板の両端それぞれに係合爪を設けて前記２つの取付板の両端に係合する、請求項１に記載の電池セル固定ホルダ。
【請求項７】
前記固定留め具は菱形である、請求項２に記載の電池セル固定ホルダ。
【請求項８】
前記固凸溝貫通孔は菱形である、請求項２に記載の電池セル固定ホルダ。
【請求項９】
前記電池セル取付溝の中央に電極貫通孔を設けた、請求項１に記載の電池セル固定ホルダ。
【請求項１０】
２つの前記電池セル固定ホルダと、
２つの前記電池セル固定ホルダの間に設置され、一端がそのうち１つの前記電池セル固定ホルダの前記電池セル取付溝中に設置され、もう一端がもう１つの前記電池セル固定ホルダの前記電池セル取付溝中に設置される、少なくとも２つの電池セルと、
を含む、請求項１に記載の電池セル固定ホルダを使用した動力電池パック。
【請求項１１】
前記固定板上に少なくとも１つの第一固定係合溝を設け、前記固定留め具上には第一係合爪部を設け、前記取付板には少なくとも１つの固定凸溝部を設け、前記２つの取付板の前記固定凸溝部を互いに並べ合わせて凸溝貫通孔を成し、前記第一固定係合溝を前記凸溝貫通孔に貫通させ、前記固定留め具を前記凸溝貫通孔上に設置し、前記第一係合爪部を前記凸溝貫通孔に貫通させて前記固定板の前記第一固定係合溝中に係合する、請求項１０に記載の動力電池パック。
【請求項１２】
前記第一固定係合溝の両側には第二固定係合溝をそれぞれ設け、前記固定留め具の両側には２つの第二係合爪部を設けて前記凸溝貫通孔を貫通させて前記第二固定係合溝内に係合する、請求項１１に記載の動力電池パック。
【請求項１３】
前記取付板、前記固定板および前記固定留め具の材質は難燃性プラスチック材料である、請求項１０に記載の動力電池パック。
【請求項１４】
前記取付板、前記固定板および前記固定留め具の材質はＡＢＳ樹脂である、請求項１０に記載の動力電池パック。
【請求項１５】
前記固定板の両端それぞれに係合爪を設けて前記２つの取付板の両端に係合する、請求項１０に記載の動力電池パック。
【請求項１６】
前記固定留め具は菱形である、請求項１１に記載の動力電池パック。
【請求項１７】
前記固凸溝貫通孔は菱形である、請求項１１に記載の動力電池パック。
【請求項１８】
前記電池セル取付溝の中央に電極貫通孔を設け、前記電池の電極部を固定して前記電極貫通孔から突出させる、請求項１０に記載の動力電池パック。
【考案の詳細な説明】
【技術分野】
【０００１】
本考案は、複数の電池を連結して１つの電池パックにできる電池セル固定ホルダおよびその動力電池パックに関するものであって、特に、電池セルを固定するための電池セルホルダ中の電池セル取付溝の数を任意に増やし、連結して電池パックを成す、電池セル固定ホルダおよびその動力電池パックに関するものである。
【背景技術】
【０００２】
動力電池パックとは機械動力を提供する電池装置を指し、通常この動力電池パックは、機械を動かす唯一のエネルギーとして、機械を有効に動作させるための高電圧、大電流を有する必要があり、動力電池パックは電気自動車、電動バイクおよび電動自転車等の比較的大きい駆動電力を必要とする装置に応用されるため、非常に重要な鍵となる。
【０００３】
一般的な電池パックは通常、電池セルホルダを利用し複数の電池（例えばニッケル水素電池）を溶接して電池パックを形成し、各電池パックには通常７〜８個の異なる電池を使用し、これらの電池を連結して高電圧、大電流の電池パックにする。
【０００４】
しかし、通常は電池を固定する電池セルホルダ中の電池セルを固定するのに用いられる電池セル貫通孔の数は決まった数であるため、電池を連結する時に、電池パックの電池の個数を電池セルホルダの貫通孔の数に合わせる必要がある。このため、組み付ける電池の数を任意に変更するといった柔軟性がない。同様に、より多い個数またはより少ない個数の電池の電池パックを組み立てたい場合、電池セル貫通孔の数がより多いまたはより少ない電池セルホルダに新たに替えるしかなく、かなり柔軟性に欠け、電池の個数に基づいてカスタマイズするといった変更ができず、対応する数の電池セルホルダを新たに探す必要があり、実用性も高くない。
【考案の概要】
【考案が解決しようとする課題】
【０００５】
そこで本考案は、上述した従来技術の欠点に対し、上述の問題を克服するのに有効な、電池セル固定ホルダおよびその動力電池パックを提案する。
【０００６】
本考案の主な目的は、電池セルを固定するのに用いるものであり、複数の電池を連結して電池パックとなり、電池の個数に基づいて電池セルホルダ中で必要な電池セル取付溝の数を任意に組合わせることでモジュールをカスタマイズして開発応用でき、使用上の柔軟性が高められる、電池セル固定ホルダおよびその動力電池パックを提供することである。
【０００７】
本考案のもう１つの目的は、構造をシンプルにして、製作コストを抑えることにより、生産効率を相対的に高められる、電池セル固定ホルダおよびその動力電池パックを提供することである。
【課題を解決するための手段】
【０００８】
上述の目的を達成するため、本考案が提供する電池セル固定ホルダは、少なくとも２つの取付板を含み、その上に少なくとも１つの電池セル取付溝を設け、取付板の両側辺には少なくとも１つの取付凹部を設けて、２つの取付板を並べ合わせると１つの取付溝を成し、取付溝上には固定板を設置し、取付板に固定留め具を貫通させて設置することにより、取付板を固定板上に固定し、固定板を取付溝中に固定することにより、２つの取付板を連結する。
【０００９】
本考案が提供する動力電池パックは、２つの電池セル固定ホルダを含み、２つの電池セル固定ホルダの間には少なくとも２つの電池セルを設置し、電池セルの一端は２つのうち１つの電池セル固定ホルダの電池セル取付溝中に設置し、電池セルのもう一端はもう１つの電池セル固定ホルダの電池セル取付溝中に設置して、電池パックを組み立て動力電池パックとする。
【考案の効果】
【００１０】
本考案は電池セルを固定するのに用いられ、複数の電池を連結して１つの電池パックにすることができ、電池の個数に基づいて電池セルホルダ中で必要な電池セル取付溝の数を任意に組合わせることでモジュールをカスタマイズして開発応用でき、使用上の柔軟性を高め、構造をシンプルにし、製作コストを抑え、生産効率を相対的に高めることができる。
【図面の簡単な説明】
【００１１】
【図１】本考案の電池セル固定ホルダの立体構造を示す図である。
【図２】本考案の電池セル固定ホルダの反対側の立体構造を示す図である。
【図３】本考案の電池セル固定ホルダの構造分解図である。
【図４】本考案の電池セル固定ホルダの反対側の構造分解図である。
【図５】本考案の実施例における固定板と固定留め具を組み付けた立体構造を示す図である。
【図６】本考案の動力電池パックの立体構造を示す図である。
【考案を実施するための形態】
【００１２】
本考案の構造的特徴と達成される効果の更なる理解と認識のため、以下に図面を参照しながら好ましい実施例について詳細に説明する。
【実施例】
【００１３】
図１から図４を参照されたい。図が示すように、本実施例の電池セル固定ホルダ１は少なくとも２つの取付板１０を含み、取付板１０上には少なくとも１つの電池セル取付溝１２を設け、電池セル取付溝１２の中央には電極貫通孔１２２を設けて、電池セルを電池セル取付溝１２中に設置し、電池セルの電極部（図中未表示）は電極貫通孔１２２から突出させる。
取付板１０の両側辺には少なくとも１つの取付凹部１４を設け、２つの取付板１０を並べ合わせると取付溝１６が形成され、固定板２０を取付溝１６上に設置する。固定板２０は、取付板１０上に設置される固定留め具３０を利用することにより、取付板１０上に固定され、固定留め具３０は取付板１０を通った後固定板２０上に固定される。こうして２つの取付板１０、固定板２０および固定留め具３０はすべて組み付けられて、２つの取付板は相互に連結して一体となる。
【００１４】
上述の取付板１０、固定板２０および固定留め具３０の材質は、ＡＢＳ樹脂（アクリロニトリル（Ａｃｒｙｌｏｎｉｔｒｉｌｅ）、ブタジエン（Ｂｕｔａｄｉｅｎｅ）、スチレン（Ｓｔｙｒｅｎｅ）の共重合体）のような難燃性プラスチック材料であり、非導電性の耐熱性材質である。
【００１５】
次に、図３、図４および図５を参照されたい。図５では固定留め具と固定板の間の係合関係を示して、固定留め具と固定板の構造および両者がどのように相互係合するかを詳細に説明する。
図が示すように、固定板２０上には少なくとも１つの第一固定係合溝２２を設け、固定留め具３０上には第一係合爪部３２を設け、取付板１０上には固定凸溝部１８を設けることで、２つの取付板１０の固定凸溝部１８を並べ合わせると凸溝貫通孔１９になるようにし、固定留め具３０は凸溝貫通孔１９上に設置でき、第一係合爪部３２は凸溝貫通孔１９を貫通して固定板２０の固定係合溝２２に係合する。
このように、この構造を使用することで、２つの取付板１０、固定板２０および固定留め部３０を効果的に組み付けられ、２つの取付板１０を合わせて一体化できる。
【００１６】
続いて図３から図５を参照されたい。第一固定係合溝２２の両側にはそれぞれ第二固定係合溝２４をさらに設けて固定留め具３０の両側の２つの第二係合爪部３４に対応して係合させ、第二固定係合溝２４は取付板１０の凸溝貫通孔１９を貫通し、第二係合爪部３４は第二固定係合溝２４に係合する。固定板２０の両端には２つの係合爪２６をさらに設け、取付板１０の両端に係合する。
このように、第二固定係合溝２４および第二係合爪部３４を使用することで固定の強固性が増し、係合爪２６の使用することで取付板１０と固定板２０の固定の強固性も増すといったように、異なる固定効果が得られる。
【００１７】
上述の実施例における凸溝貫通孔１９は菱形であり、固定留め具３０も、凸溝貫通孔１９の形状に合わせたものなので凸溝貫通孔１９の形状と同じ菱形である。また、本実施例における菱形の凸溝貫通孔１９の４辺はすべて円弧状であり、複数の凸溝貫通孔１９が縦横に配列されると円形の電池セル取付溝１２が形成され、電池セルを電池セル取付溝１２に取り付けられるようになる。
【００１８】
図６は本実施例の動力電池パックを示す図である。まず固定する電池セル４０の個数を計算した後、電池セル４０の個数に基づき、必要な数の取付板１０を固定板２０および固定留め具３０を利用して固定し、電池セル４０の個数に合い、かつ電池セル４０の両端を固定する２つの電池セル固定ホルダ１を組み立てる。
【００１９】
本実施例では、１６個の電池を組み付けて動力電池パックを形成する。本実施例で例示した取付板１０上には４個の電池セル取付溝１２を設けるので、４つの取付板１０を組み付けたものが２組必要であり、３つの固定板２０および９つの固定留め具３０を組み合わせて１６個の電池セル取付溝１２を有する電池セル固定ホルダ１を２組組み立て、２つの電池セル固定ホルダ１と電池を組み付けて動力電池パック２とする。
２つの電池セル固定ホルダ１を組み立て終わったら電池セル４０を２つの電池セル固定ホルダ１の間に設置し、電池セル４０の一端は２つのうち１つの電池セル固定ホルダ１の電池セル取付溝１２中に設置し、電池セル４０の電極部４２を電池セル取付溝１２中央の電極貫通孔１２２から突出させ、電池セル４０のもう一端は、もう１つの電池セル固定ホルダ１の電池セル取付溝１２に設置し、同様に電極部４２を電極貫通孔１２２から突出させ、動力電池パック２を形成する。
こうして複数個の電池セル４０を連結して動力がより大きい動力電池パック２を形成することにより、より多くの電力を生成することができ、より大きい電力を必要とする装置に使用できる。
【００２０】
上述の記載は本考案の好ましい実施例の説明に過ぎず、本考案の実施範囲を限定するものではない。したがって、本考案の実用新案登録請求の範囲で述べられた特徴および精神に基づいた変更や潤色は全て、本考案の実用新案登録請求の範囲内に含まれる。
【符号の説明】
【００２１】
１      電池セル固定ホルダ
１０    取付板
１２    電池セル取付溝
１２２  電極貫通孔
１４    取付凹部  
１６    取付溝  
１８    固定凸溝部
１９    凸溝貫通孔
２０    固定板  
２２    第一固定係合溝  
２４    第二固定係合溝
２６    係合爪
３０    固定留め具
３２    第一係合爪部
３４    第二係合爪部
４０    電池セル
４２    電極部
２      動力電池パック
【図１】
0003189898.tif 000003
【図２】
0003189898.tif 000004
【図３】
0003189898.tif 000005
【図４】
0003189898.tif 000006
【図５】
0003189898.tif 000007
【図６】
0003189898.tif 000008